(57)【要約】【課題】駆動源の非作動時に駆動役物が移動することを抑えることが可能な遊技機の提供を目的とする。【解決手段】本発明に係るパチンコ遊技機１０では、モータ４１の動力が第１ギア５１、第２ギア５２、第３ギア５３、ラック５４の順に伝達され、このラック５４が、駆動役物８０と共に初期位置と作動位置との間を直動可能に構成されている。そして、パチンコ遊技機１０には、モータ４１がラック５４を作動位置へ駆動するときに、第１ギア５１から動力を受けて、ラック５４と係合してラック５４を初期位置に保持する係合位置から、ラック５４との係合が解除された係合解除位置へ移動する係合部材６０と、係合部材６０が係合位置から係合解除位置へ変位するまでの間、第２ギア５２と第３ギア５３との間で動力の伝達を遮断する動力伝達遮断機構５５と、が備えられている。【選択図】図５
2015029533.tif 000002
【特許請求の範囲】
【請求項１】
駆動源により駆動される駆動役物と、前記駆動源の動力を前記駆動役物に伝達する複数のリンク部材と、を備えた遊技機において、
前記複数のリンク部材には、第１リンク部材と、前記第１リンク部材から前記駆動源の動力が伝達される第２リンク部材と、前記第２リンク部材から前記駆動源の動力が伝達される第３リンク部材と、前記第３リンク部材から前記駆動源の動力が伝達されることで前記駆動役物と共に初期位置と作動位置との間を移動する第４リンク部材と、が少なくとも備えられ、
前記駆動源が前記第４リンク部材を前記初期位置から前記作動位置へ駆動するときに、前記第１リンク部材から動力を受けて、前記第４リンク部材と係合して前記第４リンク部材を前記初期位置に保持する係合位置から前記第４リンク部材との係合を解除して前記第４リンク部材が前記作動位置へ移動することを許容する係合解除位置へ変位する係合部材と、
前記係合部材が前記係合位置から前記係合解除位置へ変位するまでの間、前記第２リンク部材と前記第３リンク部材との間で動力の伝達を遮断する動力伝達遮断機構と、を備えたことを特徴とする遊技機。
【請求項２】
前記第２リンク部材と前記第３リンク部材は、同軸に重ねて配置された１対のギアで構成され、
前記動力伝達遮断機構は、前記１対のギアのうち何れか一方のギアから他方のギアへ向けて突出した動力伝達突部と、前記他方のギアに形成されて、周方向で円弧状に延びて前記動力伝達突部を受容する受容長孔と、で構成されて、前記動力伝達突部が前記受容長孔内を移動する間は、前記１対のギアの間で動力を伝達しない一方、前記動力伝達突部が前記受容長孔の内面に当接することで前記１対のギアの間で動力を伝達するように構成されたことを特徴とする請求項１に記載の遊技機。
【請求項３】
前記複数のリンク部材は、全てギアで構成されたことを特徴とする請求項１又は２に記載の遊技機。
【請求項４】
前記第４リンク部材は、前記初期位置と前記作動位置との間を直動するように構成され、
前記係合部材は、前記前記係合部材が係合位置に配置されたときに前記第４リンク部材の直動方向に沿って配置されかつ一端部を中心に回動可能な回動レバーと、前記回動レバーの他端部から前記第４リンク部材側に突出した係合突部とを備え、
前記第４リンク部材と前記係合突部とに、前記第４リンク部材が前記初期位置から前記作動位置へ移動するときに当接可能な係合当接面が備えられたことを特徴とする請求項１乃至３のうち何れか１の請求項に記載の遊技機。
【請求項５】
前記第１リンク部材は、前記回動レバーの回動軸方向で前記回動レバーに重ねて配置されると共に、前記回動レバーの回動軸と平行な軸回りに回転可能に構成され、
前記第１リンク部材に、前記回動レバー側に突出した当接突部を設けると共に、
前記回動レバーに、前記当接突部と当接して前記係合部材を前記係合解除位置へ回動させる動力を受ける当接受け部を設けたことを特徴とする請求項４に記載の遊技機。
【発明の詳細な説明】
【技術分野】
【０００１】
本発明は、駆動源により駆動される駆動役物を備えた遊技機に関する。
【背景技術】
【０００２】
従来、この種の遊技機として、モータの動力をラックアンドピニオンにより伝達して駆動役物を直動させるものが知られている（例えば、特許文献１参照）。
【先行技術文献】
【特許文献】
【０００３】
【特許文献１】特開２００７−６１４８８号公報（図１１）
【発明の概要】
【発明が解決しようとする課題】
【０００４】
しかしながら、上述した従来の遊技機では、例えば、遊技機を移送するときの衝撃等により駆動役物の直動方向に負荷がかかると、モータが作動していないにもかかわらず、駆動役物が移動してしまうという問題があった。
【０００５】
本発明は、上記事情に鑑みてなされたもので、駆動源の非作動時に駆動役物が移動することを抑えることが可能な遊技機の提供を目的とする。
【課題を解決するための手段】
【０００６】
上記目的を達成するためになされた請求項１の発明に係る遊技機は、駆動源により駆動される駆動役物と、駆動源の動力を駆動役物に伝達する複数のリンク部材と、を備えた遊技機において、複数のリンク部材には、第１リンク部材と、第１リンク部材から駆動源の動力が伝達される第２リンク部材と、第２リンク部材から駆動源の動力が伝達される第３リンク部材と、第３リンク部材から駆動源の動力が伝達されることで駆動役物と共に初期位置と作動位置との間を移動する第４リンク部材と、が少なくとも備えられ、駆動源が第４リンク部材を初期位置から作動位置へ駆動するときに、第１リンク部材から動力を受けて、第４リンク部材と係合して第４リンク部材を初期位置に保持する係合位置から第４リンク部材との係合を解除して第４リンク部材が作動位置へ移動することを許容する係合解除位置へ変位する係合部材と、係合部材が係合位置から係合解除位置へ変位するまでの間、第２リンク部材と第３リンク部材との間で動力の伝達を遮断する動力伝達遮断機構と、を備えたところに特徴を有する。
【０００７】
請求項２の発明は、請求項１に記載の遊技機において、第２リンク部材と第３リンク部材は、同軸に重ねて配置された１対のギアで構成され、動力伝達遮断機構は、１対のギアのうち何れか一方のギアから他方のギアへ向けて突出した動力伝達突部と、他方のギアに形成されて、周方向で円弧状に延びて動力伝達突部を受容する受容長孔と、で構成されて、動力伝達突部が受容長孔内を移動する間は、１対のギアの間で動力を伝達しない一方、動力伝達突部が受容長孔の内面に当接することで１対のギアの間で動力を伝達するように構成されたところに特徴を有する。
【０００８】
請求項３の発明は、請求項１又は２に記載の遊技機において、複数のリンク部材は、全てギアで構成されたところに特徴を有する。
【０００９】
請求項４の発明は、請求項１乃至３のうち何れか１の請求項に記載の遊技機において、第４リンク部材は、初期位置と作動位置との間を直動するように構成され、係合部材は、係合部材が係合位置に配置されたときに第４リンク部材の直動方向に沿って配置されかつ一端部を中心にして回動可能な回動レバーと、回動レバーの他端部から第４リンク部材側に突出した係合突部とを備え、第４リンク部材と係合突部とに、第４リンク部材が初期位置から作動位置へ移動するときに当接可能な係合当接面が備えられたところに特徴を有する。
【００１０】
請求項５の発明は、請求項４に記載の遊技機において、第１リンク部材は、回動レバーの回動軸方向で回動レバーに重ねて配置されると共に、その回動軸と平行な軸回りに回転可能に構成され、第１リンク部材に、回動レバー側に突出した当接突部を設けると共に、回動レバーに、当接突部と当接して係合部材を係合解除位置へ回動させる動力を受ける当接受け部を設けたところに特徴を有する。
【発明の効果】
【００１１】
［請求項１の発明］
請求項１の発明では、駆動源からの動力を受けて駆動役物と共に初期位置と作動位置との間を移動する第４リンク部材が、係合位置に配置された係合部材と係合することにより初期位置に保持され、係合部材が係合解除位置に配置されたときに、作動位置へ移動することを許容される。これにより、駆動源の非作動時に、駆動役物が移動することが抑えられる。しかも、本発明によれば、係合部材は、駆動源が第４リンク部材を初期位置から作動位置へ駆動するときに、第１リンク部材から動力を受けて係合解除位置へと変位するので、駆動源の作動によって係合部材と第４リンク部材との係合を自動的に解除することが可能となる。ここで、係合部材が係合解除位置へ変位するまでの間に、第４リンク部材が駆動源からの動力を受けて作動位置へと移動すると、第４リンク部材が係合部材と干渉して、係合部材が係合解除位置へ変位することを妨げるという事態が生じ得る。しかしながら、本発明では、動力伝達遮断機構によって、係合部材が係合解除位置へ変位するまでの間、第２リンク部材と第３リンク部材との間で動力の伝達が遮断されるので、第４リンク部材と係合部材を干渉させることなく、係合部材を係合解除位置へと移動させることが可能となる。
【００１２】
［請求項２の発明］
請求項２の発明によれば、第２リンク部材と第３リンク部材とをギアの軸方向でコンパクトに配置することが可能となる。
【００１３】
［請求項３の発明］
請求項３の発明によれば、複数のリンク部材が摩擦車で構成された場合と比較して、動力伝達の際のリンク部材の滑りが抑えられる。これにより、動力伝達遮断機構による動力の伝達が遮断される時間のばらつきが抑えられる。
【００１４】
［請求項４の発明］
請求項４の発明では、係合部材が、係合部材が係合位置に配置されたときに第４リンク部材の直動方向に沿って配置されかつ一端側を中心にして回動する回動レバーと、その回動レバーの他端側から第４リンク部材側に突出した係合突部とを備えた構成になっているので、第４リンク部材の側方で係合部材が嵩張ることが抑えられる。また、第４リンク部材が初期位置から作動位置へ移動するときに、第４リンク部材と係合部材の係合当接面同士が当接可能となっているので、第４リンク部材の初期位置への保持の安定化が図られる。
【００１５】
［請求項５の発明］
請求項５の発明によれば、第１リンク部材の当接突部が回動レバーの当接受け部と当接することで、第１リンク部材から係合部材へ動力を直接伝達することができる。また、第１リンク部材は、回動レバーの回動軸方向で回動レバーに重ねて配置されているので、回動レバーの回動半径方向に第１リンク部材が嵩張ることが抑えられる。
【図面の簡単な説明】
【００１６】
【図１】本発明の一実施形態に係る遊技機の正面図
【図２】遊技板の正面図
【図３】駆動役物が待機位置に配置されたときの遊技板の背面図
【図４】駆動役物が演出位置に配置されたときの遊技板の背面図
【図５】係合部材が係合位置に配置されたときの動力伝達機構の正面図
【図６】動力伝達機構を上方から見た図
【図７】動力伝達機構のＡ−Ａ断面図
【図８】動力伝達機構のＢ−Ｂ断面図
【図９】動力伝達機構のＣ−Ｃ断面図
【図１０】係合部材が係合解除位置に配置されたときの動力伝達機構の正面図
【図１１】動力伝達突部が受容長孔の内面に当接したときの動力伝達機構の正面図
【図１２】ラックが作動位置へ向かう途中の動力伝達機構の正面図
【図１３】ラックが作動位置に配置されたときの動力伝達機構の正面図
【図１４】モータを逆回転させたときの動力伝達機構の正面図
【図１５】ラックが初期位置へ向かう途中の動力伝達機構の正面図
【図１６】変形例に係る動力伝達機構の正面図
【図１７】変形例に係る動力伝達機構の正面図
【図１８】（Ａ）変形例に係る動力伝達機構の正面図、（Ｂ）動力伝達遮断機構の平面図
【図１９】変形例に係る動力伝達機構の正面図
【発明を実施するための形態】
【００１７】
以下、本発明をパチンコ遊技機に適用した一実施形態を図１〜図１５に基づいて説明する。図１に示すように、本実施形態のパチンコ遊技機１０（以下、単に、遊技機１０という。）は、遊技領域Ｒ１を前面に有した遊技板１１を、遊技機１０の前面に開閉可能に取り付けられた前面枠１０Ｚで覆ってなり、その前面枠１０Ｚに形成されたガラス窓１０Ｗを通して、遊技領域Ｒ１の全体が視認可能となっている。なお、遊技領域Ｒ１は、遊技板１１の前面から突出したガイドレール１２に四方を囲まれることで形成されている。
【００１８】
前面枠１０Ｚのうちガラス窓１０Ｗより下方には、上皿２６と下皿２７が上下２段にして設けられ、下皿２７の右側には、操作ハンドル２８が備えられている。そして、操作ハンドル２８を回動操作すると、上皿２６に収容された遊技球が遊技領域Ｒ１に向けて弾き出される。なお、上皿２６に備えた図示しない球排出ボタンを押すと上皿２６に収容されている遊技球が下皿２７へと移動する。
【００１９】
図２に示すように、遊技板１１のうち遊技領域Ｒ１の中央には、遊技板表示窓１１Ｈが貫通形成されており、その遊技板表示窓１１Ｈに遊技板１１の裏面側から液晶表示装置の表示画面３０Ｇが対向している。
【００２０】
遊技板１１の前面中央には、表示画面３０Ｇを囲むように表示装飾枠２３が取り付けられている。具体的には、表示装飾枠２３は、遊技板１１の前面側から遊技板表示窓１１Ｈに嵌め込まれて、遊技板表示窓１１Ｈの内側に張り出すと共に、遊技板１１の前面から突出している。そして、遊技領域Ｒ１を流下する遊技球が、表示装飾枠２３の内側に進入しないように構成されている。
【００２１】
遊技領域Ｒ１のうち表示装飾枠２３の下方における左右方向の中央部には、第１と第２の始動入賞口１４Ａ，１４Ｂ、大入賞口１５及びアウト口１６が、上から順に間隔を開けて並べて設けられている。第１と第２の始動入賞口１４Ａ，１４Ｂの左右の両側には、ガイドレール１２に沿って一般入賞口２０が複数設けられている。
【００２２】
また、遊技領域Ｒ１のうち表示装飾枠２３の左右両側には、始動ゲート１８と風車１９が設けられている。なお、遊技領域Ｒ１には多数の障害釘が植設されている。
【００２３】
一般入賞口２０は、所謂、ポケット構造をなして、遊技板１１の前面から突出した部材上面に開放しており、遊技球が丁度１つ入球可能な大きさで上方に開口している。そして、一般入賞口２０に遊技球が入ると、例えば、１５個の遊技球が賞球として上皿２６に払い出される。
【００２４】
大入賞口１５は、横長矩形に形成されて、常には、可動扉１５Ｔにて閉塞されている。可動扉１５Ｔは、遊技機１０が「大当たり状態」になると、所定期間に亘って前側に倒れる。これにより、大入賞口１５が開放され、可動扉１５Ｔを案内にして、大入賞口１５に遊技球が入球可能となる。そして、大入賞口１５に遊技球が入球（入賞）すると、例えば、１個の入球につき１５個の遊技球が上皿２６に払い出される。
【００２５】
始動ゲート１８は、遊技球が潜って通過可能な門形構造をなし、遊技球が始動ゲート１８を通過すると当否判定が行われる。その当否判定の結果は、液晶表示装置（表示画面３０Ｇ）、或いは、液晶表示装置とは別の表示装置（図示せず）にて表示される。
【００２６】
第１の始動入賞口は、一般入賞口２０と同様のポケット構造をなし、遊技球が丁度１つ入球可能な大きさで上方に開口している。また、第２の始動入賞口１４の左右両側には可動翼片１４Ｃ，１４Ｃが備えられている。これら両可動翼片１４Ｃ，１４Ｃは、常には、起立状態になっている。そして、始動ゲート１８を遊技球が通過したことによる当否判定の結果が当たり（以下、「小当たり」という。）となった場合に可動翼片１４Ｃ，１４Ｃが所定期間に亘って横に倒される。すると、第２の始動入賞口１４の側方が開放し、遊技球が可動翼片１４Ｃに受け止められて第２の始動入賞口１４に案内されるようになる。
【００２７】
第１と第２の始動入賞口１４Ａ，１４Ｂに遊技球が入球すると、例えば、１個の入球につき４個の遊技球が上皿２６に払い出されると共に当否判定が行われる。その判定結果は、表示画面３０Ｇにて表示される。
【００２８】
具体的には、表示画面３０Ｇには、通常、３つの左、中、右の特別図柄（図示せず）が横並びに停止表示されている。これら各特別図柄は、例えば、「０」〜「９」の数字を表記した複数種類のもので構成されており、通常は、各特別図柄ごと、所定の種類のものが停止表示されている。そして、始動入賞口１４Ａ，１４Ｂに遊技球が入球したときに、これら３つの特別図柄が変動表示（上下方向にスクロール表示）され、所定時間後に、例えば、左、右、中の順で各特別図柄が停止表示される。始動入賞口１４Ａ，１４Ｂへの入球に起因した当否判定結果が当たり（以下、「大当たり」という）の場合には、３つの特別図柄が全て同じ図柄（ゾロ目）で停止表示され、その後、遊技が「大当たり状態」に移行する。これに対し、判定結果が外れの場合には、ゾロ目以外の組み合わせで停止表示され、通常の遊技状態が続行する。
【００２９】
なお、表示画面３０Ｇでは、遊技の当否判定結果が表示される過程で、３つの特別図柄の変動中に行われる予告演出や、３つの特別図柄のうち２つが同じ図柄で停止表示された後に行われるリーチ演出といった演出が行われる。また、表示画面３０Ｇでは、大当たり遊技中に、大当たり遊技終了後の特典（例えば、確変状態や時短状態）が付与されるか否かについての演出が行われてもよい。
【００３０】
上述した各入賞口１４Ａ，１４Ｂ，１５，２０の何れにも入賞しなかった遊技球は、遊技領域Ｒ１の下端に配置されたアウト口１６に全て取り込まれる。
【００３１】
ところで、図３に示すように、遊技板１１における左右両側部の裏側には、可動役物装置４０が設けられている。可動役物装置４０は、モータ４１（本発明の「駆動源」に相当する。）と、そのモータ４１により駆動される駆動役物８０とを備えている。駆動役物８０は、表示装飾枠２３の裏側に配置された待機位置（図３参照）と、表示装飾枠２３の内側に飛び出して液晶画面３０Ｇの前方に配置された演出位置（図２及び図４参照）との間を直動可能となっている。なお、駆動役物８０は、通常は、待機位置に配置されて遊技者から視認困難になっている。そして、特定の条件が成立したときに、演出位置に配置され、遊技者に視認可能となって演出を行う。
【００３２】
可動役物装置４０には、モータ４１の動力を駆動役物８０に伝達するための動力伝達機構５０が備えられている。この動力伝達機構５０は、図５に示すように、第１ギア５１と、第１ギア５１と噛合した第２ギア５２と、第２ギア５２から動力を受ける第３ギア５３と、第３ギア５３と噛合して横方向に直動するラック５４と、を備え、このラック５４に駆動役物８０が固定されている。
【００３３】
詳細には、第１ギア５１、第２ギア５２及び第３ギア５３は全て、前後方向に平行な軸回りに回転し、第１ギア５１と第２ギア５２とは、ラック５４の上方でラック５４の直動方向（横方向）に並べて配置され、第３ギア５３は、第２ギア５２と同軸に配置されている。また、駆動役物８０は、ラック５４の下部（即ち、第１〜第３のギア５１〜５３と反対側）に固定されている。
【００３４】
なお、本実施形態では、第１ギア５１と第２ギア５２と第３ギア５３とが、それぞれ、本発明の「第１リンク部材」と「第２リンク部材」と「第３リンク部材」とに相当し、ラック５４が本発明の「第４リンク部材」に相当する。また、駆動役物８０が待機位置に配置されているときのラック５４の位置（図５に示すラック５４の位置）が本発明の「初期位置」に相当し、駆動役物８０が演出位置に配置されているときのラック５４の位置（図１３に示すラック５４の位置）が本発明の「作動位置」に相当する。
【００３５】
図６に示すように、第１ギア５１の後方には、モータ４１が配置され、第１ギア５１は、モータ４１の回転出力軸４１Ａに固定されている。また、第１ギア５１には、前方（モータ４１と反対側）に突出した当接突部５１Ｔが備えられている。
【００３６】
図５に示すように、第３ギア５３は、第２ギア５２の後方に配置され、第２ギア５２よりも大径になっている。また、第３ギア５３の前面、即ち、第２ギア５２との対向面５３Ｍには、周方向で円弧状に延びた受容長孔５３Ａが陥没形成されている。なお、受容長孔５３Ａの円弧の長さは、円周の約４分の１になっている。
【００３７】
図６に示すように、第２ギア５２には、後方に向けて突出した動力伝達突部５２Ｔが設けられている。図９に示すように、動力伝達突部５２Ｔは、第３ギア５３の受容長孔５３Ａに受容されている。なお、図９には、ラック５４が初期位置に配置されているときの動力伝達突部５２Ｔと受容長孔５３Ａが示されていて、動力伝達突部５２Ｔは、受容長孔５３Ａの時計方向側の端部に配置されている。
【００３８】
図５に示すように、ラック５４の上部には、横方向に延びて第３ギア５３と噛合する噛合部５４Ｇが形成されている。詳細には、図６に示すように、噛合部５４Ｇは、ラック５４の後端部上面に配置されている。また、ラック５４の前端部上面には、後述する係合部材６０の係合突部６２を受容可能な係合凹部５４Ａが陥没形成されている。なお、係合凹部５４Ａは、平面視矩形状をなしている。
【００３９】
図５に示すように、第１ギア５１の前方には、係合部材６０が設けられている。係合部材６０は、ラック５４と係合してラック５４を初期位置に保持する係合位置と、ラック５４との係合が解除されてラック５４が作動位置へ移動することを許容する係合解除位置とに変位可能となっている。
【００４０】
（回動本体部６１→回動レバー６１）
具体的には、係合部材６０は、図５に示すように、ラック５４の直動方向と平行に配置されかつ一端部（図６の左側部分）を中心にして前後方向に延びた軸Ｊ１回りに回動可能な回動レバー６１と、回動レバー６１の他端部（図６の右側部分）から下方に突出した係合突部６２と、で構成されている。即ち、係合部材６０は、軸Ｊ１回りに回動可能となっている。
【００４１】
図７に示すように、係合突部６２の先端部は、ラック５４の係合凹部５４Ａに受容される。この状態で、モータ４１を作動させずにラック５４を作動位置側（図７の右側）へ移動させようとすると、係合突部６２の軸Ｊ１側を向いた側面６２Ｍと、係合凹部５４Ａの内面のうち上記側面６２Ｍと対向した対向面５４Ｍとが、互いに当接して、ラック５４の移動が規制される。なお、本実施形態では、係合突部６２の側面６２Ｍと係合凹部５４Ａの対向面５４Ｍとによって、本発明の係合当接面６６，６６が構成されている。
【００４２】
係合部材６０が軸Ｊ１を中心にして反時計方向に回動すると、図５から図１０への変化に示すように、回動レバー６１の軸Ｊ１から離れた側の端部（図１０の右側部分）が上方に移動する。すると、係合突部６２の先端部が係合凹部５４Ａの上方に飛び出し、ラック５４の作動位置側への移動が許容される。即ち、係合部材６０とラック５４との係合が解除される。
【００４３】
このように、本実施形態では、係合部材６０は、回動レバー６１がラック５４と平行に配置されたときに係合位置に配置され、係合部材６０が軸Ｊ１を中心にして反時計方向に回動して係合突部６２が係合凹部５４Ａから上方に飛び出したときに係合解除位置に配置される。なお、回動レバー６１は、引張バネ６５によって下方に付勢されている。即ち、係合部材６０は、係合位置側へ付勢されている。
【００４４】
図６に示すように、回動レバー６１の軸Ｊ１から離れた側の端部からは、突片６３が後方に向かって突出している。また、図８に示すように、突片６３は、回動レバー６１（係合部材６０）の回動方向と直交する扁平な板状をなし、上述した第１ギア５１の当接突部５１Ｔの上方に配置されている。そして、第１ギア５１がモータ４１の動力を受けて回転すると、突片６３の下面と当接突部５１Ｔとが当接して、回動レバー６１（係合部材６０）が軸Ｊ１を中心にして反時計方向に回動する（図１０参照）。このように、係合部材６０は、突片６３が当接突部５１Ｔと当接することで第１ギア５１からモータ４１の動力を受け、係合位置から係合解除位置へ移動する。なお、突片６３が本発明の「当接受け部」に相当する。
【００４５】
動力伝達機構５０の構成に関する説明は、以上である。次に、動力伝達機構５０の動作について説明する。
【００４６】
図５に示すように、駆動役物８０が待機位置に配置された状態、即ち、ラック５４が初期位置に配置された状態では、上述の如く、係合部材６０は、回動レバー６１がラック５４と平行に配置されると共に、係合突部６２がラック５４の係合凹部５４Ａに受容された係合位置に配置されている。
【００４７】
このとき、駆動役物８０に作動位置へと移動させる外力がかかっても、係合突部６２と係合凹部５４Ａの係合当接面６６，６６同士が当接して、ラック５４が作動位置へ移動することが規制される。これにより、ラック５４が初期位置に保持され、駆動役物８０も待機位置に保持される。
【００４８】
図５に示す状態から、駆動役物８０を演出位置へ移動させるべくモータ４１を作動させると、モータ４１の動力を受けた第１ギア５１が時計方向に回転する。すると、図１０に示すように、当接突部５１Ｔが係合部材６０の突片６３と当接して、係合部材６０を反時計方向に回転させる。その結果、係合突部６２が係合凹部５４Ａの上方に飛び出して、係合部材６０とラック５４との係合が解除され、ラック５４が作動位置へ移動することが許容される。即ち、係合部材６０が係合解除位置に配置される。
【００４９】
ここで、係合部材６０が係合位置から係合解除位置へ移動するまでの間に、ラック５４がモータ４１からの動力を受けて作動位置へと移動すると、ラック５４が係合部材６０と干渉して係合部材６０の係合解除位置への移動を妨げるという事態が生じ得る。しかしながら、本実施形態では、以下に説明するように、係合部材６０が係合解除位置へ移動するまでの間、モータ４１の動力がラック５４へ伝達されないようになっている。
【００５０】
即ち、図５から図１０の変化に示すように、第１ギア５１が時計方向に回転駆動されると、その第１ギア５１と噛合する第２ギア５２は、反時計方向に回転駆動される。このとき、第２ギア５２の動力伝達突部５２Ｔは、第３ギア５３の受容長孔５３Ａの時計方向側の端部から反時計方向側の端部へと移動する。そして、動力伝達突部５２Ｔが受容長孔５３の反時計方向側の端部に到達するまでの間、第２ギア５２と第３ギア５３との間では、動力が伝達されない。
【００５１】
動力伝達突部５２Ｔが受容長孔５３Ａの反時計方向側の端部の内面と当接すると、図１１から図１２への変化に示すように、第３ギア５３が第２ギア５２から動力を受けて第２ギア５２と同方向（即ち、反時計方向）に回転し始め、ラック５４が初期位置から作動位置へ向かって移動する。ここで、受容長孔５３Ａの長さは、動力伝達突部５２Ｔが受容長孔５３Ａの反時計方向側の端部に到達するまでの時間が、係合部材６０が係合位置から係合解除位置に配置されるまでの時間より長くなるような長さに設定されている。従って、係合部材６０が係合解除位置へ移動するまでの間、第３ギア５３は回転しない。これにより、係合部材６０が係合解除位置に到達するまで、ラック５４が作動位置へと移動することが防がれる。
【００５２】
このように、本実施形態では、係合部材６０が係合位置から係合解除位置へ移動するまで、第２ギア５２と第３ギア５３との間で動力の伝達が遮断され、これにより、ラック５４と係合部材６０を干渉させることなく、係合部材６０を係合解除位置へと移動させることが可能となる。なお、本実施形態では、動力伝達突部５２Ｔと受容長孔５３Ａとによって、本発明の動力伝達遮断機構５５が構成されている。
【００５３】
図１３には、ラック５４が作動位置に配置されたときの動力伝達機構５０が示されている。この状態から、駆動役物８０を待機位置へ移動させるべく、モータ４１を逆回転させると、図１３から図１４への変化に示すように、第１ギア５１が反時計方向に回転し、係合部材６０が図５、図１０〜図１３の順に示したのと逆向きに動く。なお、図１４に示す係合部材６０の位置は、図１１に示した係合部材６０の位置と同じになっている。
【００５４】
第２ギア５２は、第１ギア５１から動力を受けて時計方向に回転する。このとき、動力伝達突部５２Ｔは、第３ギア５３の受容長孔５３Ａの反時計方向側の端部から時計方向側の端部へと移動する。動力伝達突部５２Ｔが受容長孔５３Ａの時計方向側の内面と当接すると、図１５に示すように、第３ギア５３が第２ギア５２から動力を受けて第２ギアと同方向（即ち、時計方向）に回転し始め、ラック５４が作動位置から初期位置へ向かって移動する。そして、係合部材６０の係合突部６２がラック５４の係合凹部５４Ａに受容されて、係合部材６０が係合位置に戻ると共に、ラック５４が初期位置に戻る（図５参照）。
【００５５】
このように、本実施形態の遊技機１０では、モータ４１からの動力を受けて初期位置と作動位置との間を移動するラック５４が、係合位置に配置された係合部材６０と係合することにより初期位置に保持され、係合部材６０が係合解除位置に配置されたときに、作動位置へ移動することを許容される。これにより、モータ４１の非作動時に、駆動役物８０が移動することが抑えられる。しかも、係合部材６０は、モータ４１がラック５４を初期位置から作動位置へ駆動するときに、第１ギア５１から動力を受けて係合解除位置へと変位するので、モータ４１の作動によって係合部材６０とラック５４との係合を自動的に解除することが可能となる。さらに、本実施形態では、動力伝達遮断機構５５によって、係合部材６０が係合解除位置へ変位するまでの間、第２ギア５２と第３ギア５３との間で動力の伝達が遮断されるので、ラック５４と係合部材６０を干渉させることなく、係合部材６０を係合解除位置へと移動させることが可能となる。
【００５６】
また、本実施形態では、第２ギア５２と第３ギア５３とを同軸に重ねて配置し、動力伝達遮断機構５５を、第２ギア５２から第３ギア５３へ向けて突出した動力伝達突部５２Ｔと、第３ギア５３に形成されて、周方向で円弧状に延びて動力伝達突部５２Ｔを受容する受容長孔５３Ａとで構成したので、第２ギア５２と第３ギア５３とをギアの軸方向でコンパクトに配置することが可能となる。さらに、係合部材６０は、係合位置に配置されたときにラック５４の直動方向に沿って配置されて一端部を中心に回動する回動レバー６１と、その回動レバー６１の他端部からラック５４側に突出した係合突部６２とを備えた構成になっているので、ラック５４の側方で係合部材６０が嵩張ることが抑えられる。
【００５７】
［他の実施形態］
本発明は、上記実施形態に限定されるものではなく、例えば、以下に説明するような実施形態も本発明の技術的範囲に含まれ、さらに、下記以外にも要旨を逸脱しない範囲内で種々変更して実施することができる。
【００５８】
（１）上記実施形態では、本発明をパチンコ遊技機１０に適用した例を示したが、アレンジボールやスロットマシン等の他の遊技機に適用してもよい。
【００５９】
（２）上記実施形態では、本発明の複数のリンク部材が、全てギアで構成されていたが、摩擦車やベルトで構成されてもよい。
【００６０】
（３）図１６に示す係合部材６０のように、回動レバー６１が、軸Ｊ１から第１ギア５１側に延びた一端部に突片６３を備えると共に、回動レバー６１の第１ギア５１と反対側に延びた他端部から係合突部６２が突出した構成とし、第１ギア５１の当接突部５１Ｔが、突片６３の上面と当接する構成としてもよい。
【００６１】
（４）図１７に示すように、係合部材６０を、ラック５４の直動方向と直交する方向に直動する構成としてもよい。同図の例では、係合部材６０は、直線状をなして上下方向に直動可能に支持されている。そして、クランク機構６８によって第１ギア５１の回転が係合部材６０の直動に変換される。
【００６２】
（５）図１８に示すように、本発明の第２リンク部材と第３リンク部材とを、同方向に直動する伝達ラック７１，７２で構成し、一方の伝達ラック７１に、直動方向で対向した１対の対向突壁７１Ｈ，７１Ｈを設けると共に、他方の伝達ラック７２に、一方の伝達ラック側へ突出して１対の対向突壁７１Ｈ，７１Ｈの間に配置された係合突起７２Ｔを設けた構成としてもよい。本構成では、係合突起７２Ｔが、１対の対向突壁７１Ｈ，７１Ｈの間を移動する間は、伝達ラック７１，７２の間で動力の伝達が行われない。即ち、本構成では、１対の対向突壁７１Ｈ，７１Ｈと、係合突起７２Ｔとで、動力伝達遮断機構７３が構成されている。
【００６３】
（６）上記実施形態では、駆動役物８０は、待機位置と演出位置との間を直動する構成であったが、回動する構成であってもよい。具体的には、図１９に示すように、駆動役物８０は第３ギア５３と噛合する第４ギア５７と一体に回転する。また第４ギア５７には、第４ギア５７が初期位置から作動位置へ向けて回転するときに、係合位置にある係合部材６０の係合突部６２と当接可能な突起５７Ｔが設けられている。
【００６４】
（７）上記実施形態では、係合部材６０を係合位置へ付勢する付勢手段として、引張バネ６５が用いられていたが、圧縮バネであっても、マグネットであっても、重力であってもよい。
【００６５】
（８）上記実施形態では、第１ギア５１から第２ギア５２へ直接動力が伝達されていたが、第１ギア５１から動力を受けて駆動される中継ギアを介して第２ギア５２へ動力が伝達されてもよい。
【００６６】
（９）上記実施形態では、第３ギア５３からラック５４へ直接動力が伝達されていたが、第３ギアから動力を受けて駆動される中継ギアを介しラック５４へ動力が伝達されてもよい。
【符号の説明】
【００６７】
１０    パチンコ遊技機（遊技機）
４１    モータ（駆動源）
５０    動力伝達機構
５１    第１ギア（第１リンク部材）
５２    第２ギア（第２リンク部材）
５２Ｔ    動力伝達突部
５３    第３ギア（第３リンク部材）
５３Ａ    受容長孔
５４    ラック（第４リンク部材）
５５    動力伝達遮断機構
６０    係合部材
６１    回動レバー
６２    係合突部
６３    突片（当接受け部）
６６    係合当接面
８０    駆動役物
【図１】
2015029533.tif 000003
【図２】
2015029533.tif 000004
【図３】
2015029533.tif 000005
【図４】
2015029533.tif 000006
【図５】
2015029533.tif 000007
【図６】
2015029533.tif 000008
【図７】
2015029533.tif 000009
【図８】
2015029533.tif 000010
【図９】
2015029533.tif 000011
【図１０】
2015029533.tif 000012
【図１１】
2015029533.tif 000013
【図１２】
2015029533.tif 000014
【図１３】
2015029533.tif 000015
【図１４】
2015029533.tif 000016
【図１５】
2015029533.tif 000017
【図１６】
2015029533.tif 000018
【図１７】
2015029533.tif 000019
【図１８】
2015029533.tif 000020
【図１９】
2015029533.tif 000021